(57)【要約】【課題】同時観察用の特殊光及び白色光を良好かつ効率よく生成する。【解決手段】撮像素子を有する電子内視鏡のライトガイドに照明光を供給する光源部と、光源部から出射される白色光に対して減光又は特殊光への変換を交互に実行する照明光切替部と、白色光又は特殊光をライトガイドの入射端面に集光させる集光光学系とを有し、照明光切替部は、白色光の光路を切り替える回転板と、回転板によって光路を切り替えられた白色光の一方を減光する減光フィルタを設けた減光用ターレットと、回転板によって光路を切り替えられた白色光の他方を異なる波長帯域の特殊光に変換する波長変換フィルタを設けた特殊光用ターレットとを有し、減光用ターレットによって減光された白色光と、特殊光用ターレットによって変換された特殊光は、集光光学系によって交互にライトガイドの入射端面に集光される。【選択図】図２
2011200380.tif 000002
【特許請求の範囲】
【請求項１】
体腔内挿入部の先端部内に対象部位を撮像するための撮像素子を有する電子内視鏡のライトガイドに照明光を供給する光源部と、
前記光源部から出射される白色光に対して、減光と特殊光への変換とを交互に行う照明光切替部と、
前記照明光切替部により減光された白色光又は変換された特殊光を、前記ライトガイドの入射端面に集光させる集光光学系と、を有し、
前記照明光切替部は、
前記光源部から出射される白色光の光路を選択的に切り替える回転板と、
前記回転板によって光路を切り替えられた白色光の一方を透過あるいは反射し、該白色光を選択的に減光する少なくとも２つ以上の減光フィルタを設けた減光用ターレットと、
前記回転板によって光路を切り替えられた白色光の他方を透過あるいは反射し、該白色光を選択的に異なる波長帯域の特殊光に変換する少なくとも２つ以上の波長変換フィルタを設けた特殊光用ターレットと、を有し、
前記減光用ターレットによって透過あるいは反射されて減光された白色光と、前記特殊光用ターレットによって透過あるいは反射されて変換された特殊光は、前記集光光学系によって交互に前記ライトガイドの入射端面に集光される、
ことを特徴とする電子内視鏡用光源装置。
【請求項２】
前記回転板は、前記光源部からの白色光を通過させる開口部と該白色光を反射する第１及び第２の反射部とを有し、
前記回転板は、前記光源部からの白色光が前記開口部と前記第１の反射部に交互に入射するよう回転され、
前記第２の反射部は、前記回転板において前記第１の反射部が設けられている面の裏面に設けられており、
前記減光用ターレットと前記特殊光用ターレットは、一方が前記第１の反射部により反射された白色光の光路上に配置され、該白色光を前記開口部に反射し、他方が該開口部を通過した白色光の光路上に配置され、該白色光を前記第２の反射部に反射する、
ことを特徴とする請求項１に記載の電子内視鏡用光源装置。
【請求項３】
前記少なくとも２つ以上の減光フィルタは、減光後の白色光の光量が、前記少なくとも２つ以上の波長変換フィルタのいずれかの波長変換フィルタによる変換後の特殊光の光量と等しくなる減光率を有し、
前記照明光切替部は、前記減光フィルタによって減光された白色光の光量と前記波長変換フィルタによって変換された特殊光の光量が等しくなるように、前記減光用ターレット及び前記特殊光用ターレットを回動して該減光フィルタ及び該波長変換フィルタを切り替える、
ことを特徴とする請求項１又は請求項２に記載の電子内視鏡用光源装置。
【請求項４】
前記回転板において、前記開口部と前記第１及び第２の反射部との間には遮光部が形成されていることを特徴とする請求項２又は請求項３に記載の電子内視鏡用光源装置。
【発明の詳細な説明】
【技術分野】
【０００１】
本発明は、内視鏡用の光源装置に関し、より詳しくは、通常観察用の照明光と特殊光観察用の照明光を出射するための電子内視鏡用の光源装置に関する。
【背景技術】
【０００２】
従来より、患者の体腔内に細径で長尺の挿入部を挿入することにより、対象部位の観察及び撮像を行うことができる電子内視鏡システムが広く用いられている。電子内視鏡の挿入部先端には撮像素子（ＣＣＤイメージセンサやＣＭＯＳイメージセンサなど）が設けられており、撮像素子により光電変換されて出力される画像信号が、電子内視鏡内を挿通された同軸ケーブルなどの伝送ケーブルを介して、電子内視鏡と接続されるビデオプロセッサに伝送される。
【０００３】
また、近年では、可視光による通常光観察のほかに、狭帯域光、蛍光、赤外光などの特定波長の光による特殊光観察を行なう電子内視鏡システムも知られている。このような特殊光観察を行なう電子内視鏡システムの一例として、特許文献１に開示されるシステムが挙げられる。特許文献１においては、可視光を透過させる通常光フィルタと特殊光を透過させる波長変換フィルタを有する回転板によって、可視光と特殊光を切り替えて対象部位に照射し、可視光により通常光観察画像を、特殊光により特殊光観察画像を生成して体腔内の観察を行っている。具体的には、回転板の半面に通常光フィルタを設け、残りの半面に波長変換フィルタを設け、光源からの光が透過する通常光用あるいは特殊光用のフィルタを、撮像素子からの画像信号の転送タイミングに合わせて切り替わるように回転板を回転させる。これにより、通常光観察画像と特殊光観察画像を同時に生成してモニタに表示することができる。
【０００４】
また、光を通常光又は特殊光に切り替えつつ透過する光の光量を調整する回転板が、特許文献２に開示されている。また、特許文献２には、複数の波長の赤外光を用いて、血液中のヘモグロビンの酸素飽和度の変化を観察する電子内視鏡システムが記載されている。この電子内視鏡システムでは、術者が観察を希望する画像の種類に応じて、可視光又は赤外光がビデオプロセッサから電子内視鏡に供給される。そして、可視光又は赤外光に応じた可視カラー画像又はヘモグロビンの状態を表す画像が撮像素子によって取得され、種々の画像処理が施された後にモニタに表示される。特許文献１の内視鏡システムでは、ヘモグロビンの酸素飽和度による吸収スペクトルの違いに基づき、複数の異なる波長の赤外光によるヘモグロビン画像を取得することで、ヘモグロビンの酸素飽和度の変化を観察することができる。
【０００５】
特許文献２においては、Ｒ（赤），Ｇ（緑），Ｂ（青）の各波長に対応した光を透過させて通常光観察画像を得るための照明光を生成するフィルタ群と、対象部位の粘膜深層の酸素飽和度やヘモグロビン量の情報に基づいて特殊光観察画像を得るための照明光を生成するフィルタ群と、対象部位の粘膜表層の酸素飽和度やヘモグロビン量の情報に基づいて特殊光観察画像を得るための照明光を生成するフィルタ群とが、回転板上にて同心円上に配置されている。そして、回転板を照明光の光軸と垂直な方向に移動させることによって各フィルタを切り替える。また、１つのフィルタ群においてフィルタ領域を複数に分割し、各フィルタ領域において透過させる波長の半値全幅が異なるようにする。これにより、撮像素子が配置されている電子内視鏡の先端部から対象部位までの距離に応じて、透過させる波長を変更せずに光量のみを増減させて、適切な光量の照明光を対象部位に照射することができる。
【０００６】
また、特許文献３には、分光画像観察を行う電子内視鏡システムが開示されている。特許文献３においては、通常光観察用の照明光を生成するための回転フィルタと狭帯域光観察用の照明光を生成するための回転フィルタを設け、光源からの光を回動反射ミラー及び固定反射ミラーにより各回転フィルタに交互に入射させて得られる照明光を電子内視鏡先端から対象部位に照射して撮像を行う。
【先行技術文献】
【特許文献】
【０００７】
【特許文献１】特開２００４−３２１２４４号公報
【特許文献２】特許第４２７０６３４号
【特許文献３】特公平７−７７５８０号公報
【発明の概要】
【発明が解決しようとする課題】
【０００８】
ところが、上記のような従来の電子内視鏡システムでは、複数の特殊光を生成するためには特殊光の種類が増えるごとにミラー等の光学部材を増やす必要がある。また、各特殊光と通常光との間で光量のばらつきを抑えていないため、特殊光観察画像と通常光観察画像をモニタに同時に表示した際に画像間で明るさが不統一であり画像観察に支障をきたす可能性がある。
【０００９】
本発明は上記の事情に鑑みてなされたものである。本発明の目的は、複数の特殊光観察画像用の特殊光と通常光観察画像用の通常光とを効率よく生成して、特殊光及び通常光による同時観察を良好に行うことが可能な電子内視鏡用光源装置を提供することである。
【課題を解決するための手段】
【００１０】
本発明の電子内視鏡用光源装置は、体腔内挿入部の先端部内に対象部位を撮像するための撮像素子を有する電子内視鏡のライトガイドに照明光を供給する光源部と、光源部から出射される白色光に対して、減光と特殊光への変換とを交互に実行する照明光切替部と、照明光切替部により減光された白色光又は変換された特殊光を、ライトガイドの入射端面に集光させる集光光学系とを有し、照明光切替部は、光源部から出射される白色光の光路を選択的に切り替える回転板と、回転板によって光路を切り替えられた白色光の一方を透過あるいは反射し、該白色光を選択的に減光する少なくとも２つ以上の減光フィルタを設けた減光用ターレットと、回転板によって光路を切り替えられた白色光の他方を透過あるいは反射し、該白色光を選択的に異なる波長帯域の特殊光に変換する少なくとも２つ以上の波長変換フィルタを設けた特殊光用ターレットとを有し、減光用ターレットによって透過あるいは反射されて減光された白色光と、特殊光用ターレットによって透過あるいは反射されて変換された特殊光は、集光光学系によって交互にライトガイドの入射端面に集光される。
【００１１】
好ましくは、回転板は、光源部からの白色光を通過させる開口部と該白色光を反射する第１及び第２の反射部とを有し、回転板は、光源部からの白色光が開口部と第１の反射部に交互に入射するよう回転され、第２の反射部は、回転板において第１の反射部が設けられている面の裏面に設けられており、減光用ターレットと特殊光用ターレットは、一方が第１の反射部により反射された白色光の光路上に配置され、該白色光を開口部に反射し、他方が該開口部を通過した白色光の光路上に配置され、該白色光を第２の反射部に反射する。
【００１２】
さらに好ましくは、少なくとも２つ以上の減光フィルタは、減光後の白色光の光量が、少なくとも２つ以上の波長変換フィルタのいずれかによる変換後の特殊光の光量と等しくなる減光率を有し、照明光切替部は、減光フィルタによって減光された白色光の光量と波長変換フィルタによって変換された特殊光の光量が等しくなるように、減光用ターレット及び特殊光用ターレットを回動して該減光フィルタ及び該波長変換フィルタを切り替える。このため、特殊光観察画像と通常光観察画像をモニタに同時に表示した際に、画像間の明るさのばらつきが目立たない。
【００１３】
また、回転板において、開口部と第１及び第２の反射部との間には遮光部が形成されている。このため、光源からの照明光を、特殊光と白色光を混在させずにライトガイドに供給することができる。
【発明の効果】
【００１４】
本発明の電子内視鏡用光源装置によれば、複数のミラーを回動させることなく１枚の回転板を回動させることにより、通常光観察用の白色光と特殊光観察用の特殊光を生成することができるため、従来のように複数のミラーを回動させるタイミングを同期させるための構成が不要であり、より簡易な構成にて効率よく通常光及び特殊光による同時観察を行うことができる。
【図面の簡単な説明】
【００１５】
【図１】図１は、本発明の実施形態における光源装置を備える電子内視鏡システムを示す概略図である。
【図２】図２は、本発明の第１の実施形態における照明光切替部及び電子内視鏡システムの一部の構成を示す模式図である。
【図３】図３（ａ）〜（ｃ）は、本発明の第１の実施形態に使用される照明光切替部を構成する減光用ターレット、特殊光用ターレット、回転板の正面図である。
【図４】図４は、本発明の第２の実施形態における照明光切替部及び電子内視鏡システムの一部の構成を示す模式図である。
【図５】図５（ａ）〜（ｃ）は、本発明の第２の実施形態に使用される照明光切替部を構成する減光用ターレット、特殊光用ターレット、回転板の正面図である。
【発明を実施するための形態】
【００１６】
以下、図面を参照して、本発明の実施形態における電子内視鏡用光源装置を備える電子内視鏡システムについて説明する。なお、複数の図にまたがって同じ部材を示す場合は同じ番号を付すこととする。また、電子内視鏡の基端とは、電子内視鏡をビデオプロセッサと接続する接続部側を意味するものであり、電子内視鏡の先端とは、電子内視鏡の体腔内挿入部の先端を意味する。
【００１７】
第１の実施形態における電子内視鏡システム１００の概略図を図１に示す。電子内視鏡システム１００は、電子内視鏡１、ビデオプロセッサ２、及びモニタ３を備える。ビデオプロセッサ２の光源部１５は、キセノンランプ、ハロゲンランプ、水銀ランプ、メタルハライドランプなどの高輝度ランプを備えており、電子内視鏡１による撮像のための白色光を発生する。光源部１５から出射された白色光は、照明光切替部１３に入射する。照明光切替部１３は、入射する白色光の光路を切り替えるための回転板、入射する白色光を減光する減光フィルタが設けられたターレット、入射する白色光を特定の波長帯域の特殊光に変換する波長変換フィルタが設けられたターレット、ミラー、及び回転板やターレットを回動するモータを有する。照明光切替部１３の各部材の動作は駆動部１４によって制御される。駆動部１４は、タイミングコントローラ１９及びシステムコントロール部２０からの制御信号に基づいて照明光切替部１３の制御を行う。また、術者は、フロントパネル２１のボタンやスイッチ、又は電子内視鏡１の操作部４のボタンなどを操作することにより使用する特殊光の波長の切り替えと白色光の減光率の切り替えを行うことができる。術者による切り替え操作の操作信号はシステムコントロール部２０に送られ、システムコントロール部２０は受信した操作信号に基づいて駆動部１４の動作制御を行い、照明光切替部１３の波長変換フィルタと減光フィルタを切り替える。照明光切替部１３に入射した白色光は、照明光切替部１３の動作に合わせて特殊光に変換あるいは減光されて集光光学系１２に進行する。特殊光及び減光された白色光は、集光光学系１２によってライトガイド９の入射端面に入射し、ライトガイド９によって電子内視鏡１の基端から先端まで伝搬される。なお、照明光切替部１３の構成や動作などの詳細については後述する。
【００１８】
ライトガイド９は、電子内視鏡１とビデオプロセッサ２との接続部から電子内視鏡１の操作部４及び体腔内挿入部を挿通して該体腔内挿入部の先端まで延びている。術者により把持される操作部４には、いずれも図示しないものの、術者により各種操作を行うための複数のボタン、アングルノブ、処置具挿入口などが設けられている。処置具挿入口は、電子内視鏡１の先端に設けられている処置具用開口（図示せず）に通じている。術者は、処置具挿入口から鉗子などの処置具を挿入し、電子内視鏡１内に設けられた処置具挿通チャンネル（図示せず）を通じて処置具用開口から処置具を出没させ、体腔内の組織を採取するなどの処置を行う。アングルノブは、その回動操作に応じて電子内視鏡１の体腔内挿入部の先端部を湾曲させる。また、各ボタンの操作により、観察対象部位への送気や送水、体液などの吸引、テレビモニタ上の画面の静止、画像記録媒体への観察対象部位の静止画像や動画の記録など、種々の処理を行うことができる。
【００１９】
電子内視鏡１の先端には、配光光学系５や集光光学系６が配置されている。配光光学系５は、光源部１５からの光を伝搬するライトガイド９の出射端面と対向する位置に設けられており、ライトガイド９が伝搬した光を照明光として対象部位に出射する。集光光学系６は、対象部位からの反射光を撮像素子７の受光面に集光させて対象部位の像を結ばせる。
【００２０】
撮像素子７において、受光された光は光電変換されて画像信号が生成され、画像信号はプリアンプ８によって増幅された後、電子内視鏡１の接続部内に設けられた制御部１０に送られる。制御部１０において、画像信号は、輝度信号Ｙ及び色差信号Ｃｂ，Ｃｒからなる画像信号に変換されてデジタル信号化された後、ビデオプロセッサ２の前段信号処理部１６に送られる。また、制御部１０は、電子内視鏡１の接続部に設けられたメモリ１１に接続されている。制御部１０は、電子内視鏡１をビデオプロセッサ２に接続したときに、ビデオプロセッサ２側で種々の制御を行う上で必要となる電子内視鏡１の識別情報や撮像素子７に関する情報などを、メモリ１１から読み出して、ビデオプロセッサ２のシステムコントロール部２０に送る。さらに、制御部１０は、ビデオプロセッサ２のタイミングコントローラ１９から受信する信号に基づいて撮像素子７の駆動を制御する。
【００２１】
ビデオプロセッサ２の前段信号処理部１６は、電子内視鏡１の制御部１０から送られてくる画像信号に対して種々の画像処理を施す。前段信号処理部１６は、制御部１０から送られてくる輝度信号Ｙ及び色差信号Ｃｂ，Ｃｒをそれぞれ増幅した後、マトリクス回路（図示せず）に送り、照明光切替部１３が有する各フィルタのフィルタ特性に応じて、変換特性を決定するマトリクス係数の値を変更し、画像信号の色補正を行う。マトリクス回路は、入力される輝度信号Ｙ及び色差信号Ｃｂ，Ｃｒを混色のない３原色信号Ｒ，Ｇ，Ｂに変換して出力する。マトリクス回路によって変換されたＲ，Ｇ，Ｂの各画像信号は、それぞれ増幅されて適切な信号レベルに調整された後に、各色ごとに画像メモリ１７に格納される。
【００２２】
ここで、照明光切替部１３による白色光の減光と特殊光への変換の切り替えのタイミングと、撮像素子７における信号出力の切り替えタイミングとは、タイミングコントローラ１９のタイミング制御によって同期されている。従って、撮像素子７は、ある露光期間に減光された白色光を受光して通常光観察画像を生成するための信号を出力した後に、続く露光期間に特殊光を受光して特殊光観察画像を生成するための信号を出力し、これを繰り返すことで各信号を交互に出力する。なお、撮像素子７からの画素信号の出力は、照明光切替部１３による特殊光と白色光の減光の切り替えに要する移行期間内に行われる。また、画像メモリ１７は、白色光による観察画像信号を記憶する通常光観察画像用メモリと、特殊光による観察画像信号を記憶する特殊光観察画像用メモリを有する。そして、画像メモリ１７は、通常光観察用の画像信号に基づいて前段信号処理部１６により算出された画像信号を通常光観察画像用メモリに書き込みつつ特殊光観察画像用メモリへの書き込みを停止し、特殊光観察用の画像信号に基づいて前段信号処理部１６により算出された画像信号を特殊光観察画像用メモリに書き込みつつ通常光観察画像用メモリへの書き込みを停止する。画像メモリ１７は、タイミングコントローラ１９からの制御信号に基づいて駆動する。
【００２３】
また、前段信号処理部１６のマトリクス回路のマトリクス係数は、白色光の減光と各特殊光への変換の各処理に対応する係数が用意されており、各マトリクス係数はメモリ２２に記憶されている。そして、タイミングコントローラ１９の制御に基づいて、照明光の切り替えタイミングに合わせて、照明光切替部１３による白色光の減光あるいは特殊光への変換に必要なマトリクス係数がメモリ２２から前段信号処理部１６に送られてマトリクス回路に設定される。
【００２４】
画像メモリ１７の通常光観察画像用メモリあるいは特殊光観察画像用メモリから読み出された画像信号は、後段信号処理部１８に送られる。後段信号処理部１８にて、画像メモリ１７から送られてきた信号は、デジタルビデオ信号やＲＧＢビデオ信号、コンポジットビデオ信号、Ｙ／Ｃ信号等に変換された後、観察画像としてモニタ３に出力される。術者は、モニタ３に表示される観察画像を確認しながら体腔内の部位の観察や治療を行う。
【００２５】
次に、図２及び図３（ａ）〜（ｃ）を参照しながら、本発明の第１の実施形態における照明光切替部１３の構成や動作について説明する。照明光切替部１３は、減光用ターレット１３ａ、特殊光用ターレット１３ｆ、回転板１３ｄ、ミラー１３ｃ，１３ｈ、及びモータ１３ｂ，１３ｅ，１３ｇを有する。減光用ターレット１３ａ、特殊光用ターレット１３ｆ、回転板１３ｄは、それぞれモータ１３ｂ，１３ｇ，１３ｅによって回転軸Ａ，Ｂ，Ｃを中心に回動する。図３（ａ）〜（ｃ）は、減光用ターレット１３ａ、特殊光用ターレット１３ｆ、回転板１３ｄの構成をそれぞれ示す。減光用ターレット１３ａは、入射する白色光の減光率がそれぞれ異なる円形の第１〜第３の減光フィルタ３１〜３３を有する。第１〜第３の減光フィルタ３１〜３３は、減光用ターレット１３ａの回転軸Ａを中心とする同一円周上に１２０°ごとに配置されている。減光用ターレット１３ａにおいて、第１〜第３の減光フィルタ３１〜３３以外は遮光部３９が形成されている。特殊光用ターレット１３ｆは、入射する白色光をそれぞれ異なる波長帯域の光（以下、特殊光という）に変換して透過する円形状の第１〜第３の波長変換フィルタ３４〜３６を有する。第１〜第３の波長変換フィルタ３４〜３６も、減光フィルタと同様に、特殊光用ターレット１３ｆの回転軸Ｂを中心とする同一円周上に１２０°ごとに配置されている。特殊光用ターレット１３ｆにおいて、第１〜第３の波長変換フィルタ３４〜３６以外は遮光部４０が形成されている。回転板１３ｄは、入射する光を透過させる開口部３７と入射する光を反射させる光学的鏡面を有する反射部３８とを有する。開口部３７と反射部３８は、回転板１３ｄの回転軸Ｃを中心として点対称となる位置に設けられている。回転板１３ｄにおいて、開口部３７及び反射部３８以外は遮光部４１が形成されている。なお、回転板１３ｄにおいて、反射部３８が設けられている面の裏面には、反射部３８と同じ位置に同じ形状及び大きさの反射部４２が設けられている。
【００２６】
図２では、照明光として減光された白色光を生成する場合の光の進行を一点鎖線にて、また照明光として特殊光を生成する場合の光の進行を二点鎖線にてそれぞれ示している。なお、便宜上、白色光を減光する場合と特殊光を生成する場合とで光路が共通する部分は、一点鎖線にて示している。まず、白色光を減光する場合について、図２を参照しながら説明する。ランプ１５ａから出射された白色光は、回転板１３ｄに進行する。回転板１３ｄは、タイミングコントローラ１９の制御に基づいて、撮像素子７の画像信号の転送タイミングに合わせて、ランプ１５ａから出射された白色光が開口部３７と反射部３８に交互に入射するように回転する。白色光を減光する場合は、白色光は回転板１３ｄの反射部３８により反射されてミラー１３ｃに進行する。ミラー１３ｃは、回転板１３ｄの反射部３８によって反射された白色光の光路上であり、かつミラー１３ｃにて反射した白色光が回転板１３ｄの開口部３７に進行する位置に配置されている。また、ミラー１３ｃの面法線は、回転板１３ｄの面法線と平行となるように設定されている。さらに、ミラー１３ｃにて反射した白色光が回転板１３ｄに到達するまでの光路上には、減光用ターレット１３ａが配置されている。減光用ターレット１３ａは、モータ１３ｂによって回動させたときに、ミラー１３ｃにより反射された白色光が第１〜第３の減光フィルタ３１〜３３のいずれかに入射する位置に配置されている。従って、ミラー１３ｃにて反射された白色光は、減光用ターレット１３ａの第１〜第３の減光フィルタ３１〜３３のいずれかのフィルタに入射し、第１〜第３の減光フィルタのそれぞれの減光率に基づいて減光された後、回転板１３ｄの開口部３７に進行する。そして、減光された白色光は、開口部３７を経由して集光光学系１２に入射し、集光光学系１２によってライトガイド９の入射端面に集光される。かかる白色光は、ライトガイド９により電子内視鏡１の先端に伝搬され、配光光学系６を経由して照明光として対象部位に照射される。
【００２７】
次に照明光として特殊光を生成する場合について、図２を参照しながら説明する。ランプ１５ａから出射された白色光は、回転板１３ｄに進行する。回転板１３ｄは、タイミングコントローラ１９の制御に基づいて回転し、撮像素子７における信号出力の転送タイミングに同期して開口部３７と反射部３８の位置が入れ替わっている。従って、白色光は、回転板１３ｄの開口部３７を通過した後、特殊光用ターレット１３ｆに進行する。特殊光用ターレット１３ｆは、モータ１３ｇにより回動させたときに、開口部３７を通過した白色光が第１〜第３の波長変換フィルタ３４〜３６のいずれかに入射する位置に配置されている。白色光は、第１〜第３の波長変換フィルタ３４〜３６のいずれかのフィルタに入射し、波長変換フィルタ３４〜３６のいずれかによって波長帯域を異にする特殊光に変換された後、ミラー１３ｈに進行する。ミラー１３ｈは、第１〜第３の波長変換フィルタ３４〜３６により変換された特殊光の光路上にあり、かつミラー１３ｈにて反射した特殊光が回転板１３ｄの裏面に設けられた反射部４２に進行する位置に配置されている。また、ミラー１３ｈの面法線は、回転板１３ｄの面法線と平行となるように設定されている。従って、ミラー１３ｈにより反射された特殊光は、回転板１３ｄの反射部４２によって反射され、集光光学系１２に入射し、集光光学系１２によってライトガイド９の入射端面に集光される。かかる特殊光は、ライトガイド９により電子内視鏡１の先端に伝搬され、配光光学系６を経由して照明光として対象部位に照射される。
【００２８】
特殊光用ターレット１３ｆの波長変換フィルタ３４〜３６は、白色光から特殊光に変換する際の減光量についてもそれぞれ異なる特性を示す。そこで、減光用ターレットの減光フィルタ３１〜３３によって減光された白色光の光量が、特殊光用ターレット１３ｆの波長変換フィルタ３４〜３６によって変換された特殊光の光量とそれぞれ等しくなるように、減光用ターレットの減光フィルタ３１〜３３の減光率を設定する。そして、駆動部１４によりモータ１３ｂ，１３ｇの回動を制御することにより、波長変換フィルタ３４〜３６の切り替えに合わせて対応する減光フィルタ３１〜３３を切り替える。これにより、照明光切替部１３によって照明光として生成される白色光と特殊光の光量は等しくなり、通常光観察画像と特殊光観察画像とをモニタ３に同時に表示した際に明るさのばらつきが目立たないため、特殊光及び白色光を用いた同時観察において、診断により好適な画像を生成することができる。
【００２９】
次に、本発明の第２の実施形態における電子内視鏡用光源装置について、図４及び図５（ａ）〜（ｃ）を参照しながら説明する。なお、図４及び図５（ａ）〜（ｃ）に示す以外の構成要素については、図１に示す第１の実施形態と同じであるため詳細な説明は省略する。
【００３０】
照明光切替部１３は、減光用ターレット１３ｉ、特殊光用ターレット１３ｍ、回転板１３ｋ、及びモータ１３ｊ，１３ｌ，１３ｎを有する。減光用ターレット１３ｉ、特殊光用ターレット１３ｍ、回転板１３ｋは、それぞれモータ１３ｊ，１３ｎ，１３ｌによって回転軸Ｄ，Ｅ，Ｆを中心に回動する。図５（ａ）〜（ｃ）は、減光用ターレット１３ｉ、特殊光用ターレット１３ｍ、回転板１３ｋの構成をそれぞれ示す。減光用ターレット１３ｉは、入射する白色光の減光率がそれぞれ異なる円形の第１〜第３の減光フィルタ５１〜５３を有する。そして、第１〜第３の減光フィルタ５１〜５３は、反射型のフィルタであり、入射する光を減光して反射する特性を有する。第１〜第３の減光フィルタ５１〜５３は、減光用ターレット１３ｉの回転軸Ｄを中心とする同一円周上に１２０°ごとに配置されている。減光用ターレット１３ｉにおいて、第１〜第３の減光フィルタ５１〜５３以外は遮光部５９が形成されている。特殊光用ターレット１３ｍは、入射する白色光をそれぞれ異なる波長帯域の特殊光に変換する円形の第１〜第３の波長変換フィルタ５４〜５６を有する。そして、第１〜第３の波長変換フィルタも、反射型のフィルタであり、入射する光を波長変換して反射する特性を有する。第１〜第３の波長変換フィルタ５４〜５６も、減光フィルタと同様に、特殊光用ターレット１３ｍの回転軸Ｅを中心とする同一円周上に１２０°ごとに配置されている。特殊光用ターレット１３ｍにおいて、第１〜第３の波長変換フィルタ５４〜５６以外は遮光部６０が形成されている。回転板１３ｋは、入射する光を透過させる開口部５７と入射する光を反射させる光学的鏡面を有する反射部５８とを有する。開口部５７と反射部５８は、回転板１３ｋの回転軸Ｆを中心として点対称となる位置に設けられている。回転板１３ｋにおいて、開口部５７及び反射部５８以外は遮光部６１が形成されている。なお、回転板１３ｋにおいて、反射部５８が設けられている面の裏面には、反射部５８と同じ位置に同じ形状及び大きさの反射部６２が設けられている。
【００３１】
図４では、第１の実施形態と同様、照明光として減光された白色光を生成する場合の光の進行を一点鎖線にて、また照明光として特殊光を生成する場合の光の進行を二点鎖線にてそれぞれ示している。なお、便宜上、白色光を減光する場合と特殊光を生成する場合とで光路が共通する部分は、一点鎖線にて示している。まず、白色光を減光する場合について、図４を参照しながら説明する。ランプ１５ａから出射された白色光は、回転板１３ｋに進行する。回転板１３ｋは、タイミングコントローラ１９の制御に基づいて、撮像素子７の画像信号の転送タイミングに合わせて、白色光が開口部５７と反射部５８に交互に入射するように回転する。白色光を減光する場合は、白色光は回転板１３ｋの反射部５８により反射されて減光用ターレット１３ｉに進行する。減光用ターレット１３ｉは、モータ１３ｊによって回動される。回転板１３ｋの反射部５８によって反射された白色光は、第１〜第３の減光フィルタ５１〜５３のいずれかに入射し、かつ第１〜第３の減光フィルタ５１〜５３のいずれかによってそれぞれ異なる減光率で減光されて反射される。減光用ターレット１３ｉの面法線は、回転板１３ｋの面法線と平行となるように設定されている。減光用ターレット１３ｉにて反射された白色光は、回転板１３ｋの開口部５７に進行する。そして、白色光は、開口部５７を経由して集光光学系１２に入射し、集光光学系１２によってライトガイド９の入射端面に集光される。かかる白色光は、ライトガイド９により電子内視鏡１の先端に伝搬され、配光光学系６を経由して照明光として対象部位に照射される。
【００３２】
次に照明光として特殊光を生成する場合について、図４を参照しながら説明する。ランプ１５ａから出射された白色光は、回転板１３ｋに進行する。回転板１３ｋは、タイミングコントローラ１９の制御に基づいて回転し、撮像素子７における信号出力の切り替えタイミングに同期して開口部５７と反射部５８の位置が入れ替わっており、白色光は回転板１３ｋの開口部５７に入射する。白色光は、回転板１３ｋの開口部５７を通過し、特殊光用ターレット１３ｍに進行する。特殊光用ターレット１３ｍは、モータ１３ｎにより回動させたときに、開口部５７を通過した白色光が、第１〜第３の波長変換フィルタ５４〜５６のいずれかに入射し、かつ第１〜第３の波長変換フィルタ５４〜５６にて特殊光に変換されて反射される。特殊光用ターレット１３ｍの面法線は、回転板１３ｋの面法線と平行となるように設定されている。特殊光用ターレット１３ｍにより反射された特殊光は、回転板１３ｋの裏面に設けられた反射部６２によって反射され、集光光学系１２に入射し、集光光学系１２によって、ライトガイド９の入射端面に集光される。かかる特殊光は、ライトガイド９により電子内視鏡１の先端に伝搬され、配光光学系６を経由して照明光として対象部位に照射される。
【００３３】
特殊光用ターレット１３ｍの波長変換フィルタ５４〜５６は、白色光から特殊光に変換する際の減光量についてもそれぞれ異なる特性を示す。そこで、減光用ターレットの減光フィルタ５１〜５３のそれぞれの反射光量が、特殊光用ターレット１３ｍの波長変換フィルタ５４〜５６のそれぞれの反射光量とそれぞれ等しくなるように、減光用ターレットの減光フィルタ５１〜５３の減光率を設定する。そして、駆動部１４によりモータ１３ｊ，１３ｎの回動を制御することにより、波長変換フィルタ５４〜５６の切り替えに合わせて対応する減光フィルタ５１〜５３を切り替える。従って、第１の実施形態と同様、照明光切替部１３によって減光された白色光と変換された特殊光の光量は等しくなり、通常光観察画像と特殊光観察画像とをモニタ３に同時に表示した際に明るさのばらつきが目立たないため、特殊光及び白色光を用いた同時観察において、診断により好適な画像を生成することができる。
【００３４】
以上が本発明における実施形態に関する説明である。本発明は、上記の構成に限定されるものではなく、本発明の技術的思想の範囲において種々の変形が可能である。例えば、波長変換フィルタとして、１つのフィルタにおいて複数の離散的な帯域を透過する複峰性のフィルタを採用することもできる。また、上記の説明において、図には配光光学系及び集光光学系を単枚のレンズとして示しているが、複数枚のレンズによって構成してもよい。
【００３５】
また、第１の実施形態においては、減光用ターレット及び特殊光用ターレットは、ミラーによって反射する前に通過させるか、あるいは反射した後に通過させるかを自由に決定して配置することができる。すなわち、上記の説明では、白色光を減光する場合、ランプ１５ａからの白色光が回転板１３ｄ、ミラー１３ｃ、減光用ターレット１３ａの順に入射するが、回転板１３ｄ、減光用ターレット１３ａ、ミラー１３ｃの順に入射するように減光用ターレット１３ａを配置してもよい。また、特殊光を生成する場合、ランプ１５ａからの白色光が回転板１３ｄ、特殊光用ターレット１３ｆ、ミラー１３ｈの順に入射するが、回転板１３ｄ、ミラー１３ｈ、特殊光用ターレットの順に入射するように特殊光用ターレット１３ｆを配置してもよい。さらに、第１及び第２の実施形態において、減光用ターレット及び特殊光用ターレットの配置を入れ替え、ランプ１５ａからの白色光を、減光する場合は回転板にて透過させ、特殊光に変換する場合は回転板にて反射させる構成としてもよい。
【符号の説明】
【００３６】
１    電子内視鏡
７    撮像素子
９    ライトガイド
１３ａ，１３ｉ    減光用ターレット
１３ｄ，１３ｋ    回転板
１３ｆ，１３ｍ    特殊光用ターレット
３４〜３６，５４〜５６    波長変換フィルタ
３１〜３３，５１〜５３    減光フィルタ
３９〜４１，５９〜６１    遮光部
１３ｂ，１３ｅ，１３ｇ，１３ｊ，１３ｌ，１３ｎ    モータ
１５    光源部
１５ａ    ランプ
【図１】
2011200380.tif 000003
【図２】
2011200380.tif 000004
【図３】
2011200380.tif 000005
【図４】
2011200380.tif 000006
【図５】
2011200380.tif 000007